(57)【特許請求の範囲】
【請求項１】
文字コンテンツサーバと、少なくとも１つの端末とからなる動画の視聴システムであって、
前記文字コンテンツサーバが、動画のタイトルに対応して、時刻に対応し且つテレビ放送番組の視聴率データを含む少なくとも１つ以上のコメントを含む文字コンテンツのみを保持するコンテンツ保持手段を有し、
前記端末が、
前記テレビ放送番組を録画してこれを動画コンテンツとして保存する録画手段と、
ユーザが個人として予め所持する前記動画コンテンツを再生する動画再生手段と、
前記タイトルに対応する文字コンテンツを取得する文字コンテンツ取得手段と、
前記動画の再生開始からの経過時刻を計算する時刻計算手段と、
前記文字コンテンツに前記経過時刻に対応するコメントが存在するか否かを判断し、前記経過時刻に対応するコメントが存在していれば、前記動画再生手段が再生する動画に前記視聴率データを含む該コメントを重ねて表示するコメント表示手段と
を有することを特徴とする動画の視聴システム。
【請求項２】
前記文字コンテンツサーバと前記端末とがネットワークによって相互に接続され、
前記文字コンテンツ取得手段が、前記文字コンテンツサーバから前記ネットワークを経由して前記文字コンテンツのみを取得することを特徴とする、請求項１に記載の動画の視聴システム。
【請求項３】
前記端末が、前記文字コンテンツサーバに、前記タイトルおよび前記経過時刻に対応するコメントを送信するコメント送信手段を有することを特徴とする、請求項２に記載の動画の視聴システム。
【請求項４】
前記文字コンテンツサーバが、前記端末から受け取った前記コメントを、前記タイトルに対応する文字コンテンツの前記経過時刻に対応する位置に挿入するコメント挿入手段を有することを特徴とする、請求項３に記載の動画の視聴システム。
【請求項５】
端末と通信する通信手段を有する文字コンテンツサーバにおいて、
前記端末のユーザが個人として予め所持する動画のタイトルに対応して、時刻に対応し且つテレビ放送番組の視聴率データを含む少なくとも１つ以上のコメントを含む文字コンテンツのみを保持するコンテンツ保持手段と、
前記端末からのリクエストのあった動画のタイトルに対応する前記文字コンテンツを前記コンテンツ保持手段から読み出す文字コンテンツ読み出し手段と、
読み出された前記文字コンテンツを前記視聴率データと共に前記端末に送出するコンテンツ送出手段と
を有することを特徴とする文字コンテンツサーバ。
【請求項６】
前記通信手段が前記タイトルおよび経過時刻に対応するコメントを受信し、
前記コメントを、前記タイトルに対応する文字コンテンツの前記経過時刻に対応する位置に挿入するコメント挿入手段を有することを特徴とする、請求項５に記載の文字コンテンツサーバ。
【請求項７】
動画のタイトルに対応して、時刻に対応し且つテレビ放送番組の視聴率データを含む少なくとも１つ以上のコメントを含む文字コンテンツのみを保持するコンテンツ保持手段を有する文字コンテンツサーバと、少なくとも１つの端末とからなるシステムにおいて動画を視聴する方法であって、
前記端末が、前記テレビ放送番組を録画してこれを動画コンテンツとして保存する録画工程と、
前記端末が、ユーザが個人として予め所持する前記動画コンテンツを再生する動画再生工程と、
前記端末が、前記タイトルに対応する文字コンテンツを取得する文字コンテンツ取得工程と、
前記端末が、前記動画の再生開始からの経過時刻を計算する時刻計算工程と、
前記端末が、前記文字コンテンツに前記経過時刻に対応するコメントが存在するか否かを判断し、前記経過時刻に対応するコメントが存在していれば、再生中の前記動画コンテンツに前記視聴率データを含む該コメントを重ねて表示するコメント表示工程と
を有することを特徴とする動画の視聴方法。
【請求項８】
前記文字コンテンツサーバと前記端末とがネットワークによって相互に接続され、
前記文字コンテンツ取得工程が、
前記端末が、前記文字コンテンツサーバに前記タイトルに対応する文字コンテンツをリクエストするリクエスト工程と、
前記文字コンテンツサーバが、前記端末からのリクエストに含まれる動画のタイトルに対応する前記文字コンテンツを前記コンテンツ保持手段から読み出す文字コンテンツ読み出し工程と、
前記文字コンテンツサーバが、読み出された前記文字コンテンツを前記端末に送出する文字コンテンツ送出工程と
を含むことを特徴とする、請求項７に記載の動画の視聴方法。
【請求項９】
前記端末が、前記文字コンテンツサーバに、前記タイトルおよび前記経過時刻に対応するコメントを送信するコメント送信工程を有することを特徴とする、請求項８に記載の動画の視聴方法。
【請求項１０】
端末のユーザが個人として予め所持する動画のタイトルに対応して、時刻に対応し且つテレビ放送番組の視聴率データを含む少なくとも１つ以上のコメントを含む文字コンテンツのみを保持するコンテンツ保持手段を有する文字コンテンツサーバと、少なくとも１つの端末とからなるシステムにおいて、前記文字コンテンツサーバが備えるコンピュータ装置に、
前記端末からのリクエストを受信する処理と、
前記端末からのリクエストに含まれる動画のタイトルに対応する前記文字コンテンツを前記コンテンツ保持手段から読み出す処理と、
読み出された前記文字コンテンツを前記視聴率データと共に前記端末に送出する処理と
を実行させることを特徴とする動画の視聴プログラム。
【発明の詳細な説明】
【技術分野】
【０００１】
本発明は、テレビ放送番組、ビデオ／ＤＶＤソフトなどの動画を視聴するシステムに関し、特にそれらの動画をインターネット経由で入手した文字情報と共に視聴するシステムに関する。
【背景技術】
【０００２】
昨今、インターネット上ではＹｏｕＴｕｂｅ（http://www.youtube.com/）に代表される、いわゆる動画共有サイトが急増し、非常に多くのアクセスを集めている。中でも、単にユーザが動画をアップロードしていつでもストリーミング再生できる状態にして他のユーザと共有するだけでなく、アップロードされた動画に各々のユーザが自由にコメントを付けることのできるサイトが人気を得ている。具体的には「ニコニコ動画（http://www.nicovideo.jp/）」や「字幕．ｉｎ（http://jimaku.in/）」などである。以後、これらをコメント付加型動画共有サイトという。
【０００３】
これらのサイトでは、既存の動画コンテンツにコメントを付加し、それらのコメントが動画コンテンツの再生に合わせて表示されることによって、作者が意図しなかった新たな作品性を生み出している。また、大勢のユーザが同一のコンテンツを見て、相互にコメントを付加して楽しむことにより、インターネットにおいて新たなコミュニティを提供している。
【０００４】
ちなみに動画コンテンツについては、たとえば以下のような技術が開示されている。特許文献１には、放送中のテレビ番組について視聴者が意見交換できるコミュニティを形成する方法が開示されている。特許文献２には、放送番組の瞬間最高視聴率についての情報をネットワーク経由で取得して録画番組の再生を制御する方法が開示されている。特許文献３には、ＣＤやＤＶＤなどの試聴器でクチコミ情報を交換して、さらにその内容を放送できるというコンテンツ試聴システムが開示されている。
【０００５】
【特許文献１】特開２００１−１４８８４１号公報
【特許文献２】特開２００４−２４１９４９号公報
【特許文献３】特開２００６−０５９０１９号公報
【発明の開示】
【発明が解決しようとする課題】
【０００６】
その一方で、これらの動画共有サイトでは、テレビ放送番組や市販の（ＤＶＤ、ＶＨＳビデオなどの）パッケージ型映像コンテンツなどからコピーされた、著作権者の許諾を得ていない動画コンテンツがアップロードされることが非常に多い。これは明らかに著作権法第２３条第１項でいう送信可能化権を侵害している。そのため、今後これらのサイトでは、著作権者の許諾を得ていないコンテンツについての規制が強化される可能性が高い。規制が強化されると、前述のようなコメント付加型動画共有サイトも成立しにくくなる。
【０００７】
また、インターネット上で動画のストリーミング再生を行うには、高い通信速度を有する通信回線と、高いマルチメディア処理能力を有する端末装置が要求される。特に携帯電話などのように、通信速度においても処理能力においても制限のある環境では、高画質での動画のストリーミング再生が難しいので、前述のような動画共有サイトを利用することが難しい。
【０００８】
ちなみに特許文献１の方法では、放送中のテレビ番組について視聴者がリアルタイムで意見交換できるコミュニティを形成しているが、リアルタイムで放送されている番組以外についてコミュニティを形成することはできない。特許文献２の方法では、放送番組の瞬間最高視聴率についての情報をネットワーク経由で取得しているが、動画コンテンツにコメントが付加されたものではない。特許文献３の方法では、ＣＤやＤＶＤなどについてコメントを交換しているが、それらのＣＤやＤＶＤのコンテンツの再生のタイミングに合わせてコメントを再生するものではない。従って、特許文献１〜３、もしくはそれらの技術を組み合わせたものは、いずれも上述の問題を解決する構成を備えていない。
【０００９】
本発明の目的は、著作権を侵害することなく、また通信速度や処理能力に制限のある環境においても、動画を文字情報と共に視聴することのできる動画の視聴システム、端末、文字コンテンツサーバ、動画の視聴方法およびプログラムを提供することにある。
【課題を解決するための手段】
【００１０】
上記目的を達成するため、本発明に係る動画の視聴システムは、文字コンテンツサーバと、少なくとも１つの端末とからなる動画の視聴システムであって、文字コンテンツサーバが、動画のタイトルに対応して、時刻に対応し且つテレビ放送番組の視聴率データを含む少なくとも１つ以上のコメントを含む文字コンテンツのみを保持するコンテンツ保持手段を有し、端末が、テレビ放送番組を録画してこれを動画コンテンツとして保存する録画手段と、ユーザが個人として予め所持する動画コンテンツを再生する動画再生手段と、タイトルに対応する文字コンテンツを取得する文字コンテンツ取得手段と、動画の再生開始からの経過時刻を計算する時刻計算手段と、文字コンテンツに経過時刻に対応するコメントが存在するか否かを判断し、経過時刻に対応するコメントが存在していれば、動画再生手段が再生する動画に視聴率データを含む該コメントを重ねて表示するコメント表示手段とを有することを特徴とする。
【００１２】
上記目的を達成するため、本発明に係る文字コンテンツサーバは、端末と通信する通信手段を有する文字コンテンツサーバにおいて、端末のユーザが個人として予め所持する動画のタイトルに対応して、時刻に対応し且つテレビ放送番組の視聴率データを含む少なくとも１つ以上のコメントを含む文字コンテンツのみを保持するコンテンツ保持手段と、端末からのリクエストのあった動画のタイトルに対応する文字コンテンツをコンテンツ保持手段から読み出す文字コンテンツ読み出し手段と、読み出された文字コンテンツを視聴率データと共に端末に送出するコンテンツ送出手段とを有することを特徴とする。
【００１３】
上記目的を達成するため、本発明に係る動画の視聴方法は、動画のタイトルに対応して、時刻に対応し且つテレビ放送番組の視聴率データを含む少なくとも１つ以上のコメントを含む文字コンテンツのみを保持するコンテンツ保持手段を有する文字コンテンツサーバと、少なくとも１つの端末とからなるシステムにおいて動画を視聴する方法であって、端末が、テレビ放送番組を録画してこれを動画コンテンツとして保存する録画工程と、端末が、ユーザが個人として予め所持する動画コンテンツを再生する動画再生工程と、端末が、タイトルに対応する文字コンテンツを取得する文字コンテンツ取得工程と、端末が、動画の再生開始からの経過時刻を計算する時刻計算工程と、端末が、文字コンテンツに経過時刻に対応するコメントが存在するか否かを判断し、経過時刻に対応するコメントが存在していれば、再生中の動画コンテンツに視聴率データを含む該コメントを重ねて表示するコメント表示工程とを有することを特徴とする。
【００１５】
上記目的を達成するため、本発明に係る動画の視聴プログラムは、端末のユーザが個人として予め所持する動画のタイトルに対応して、時刻に対応し且つテレビ放送番組の視聴率データを含む少なくとも１つ以上のコメントを含む文字コンテンツのみを保持するコンテンツ保持手段を有する文字コンテンツサーバと、少なくとも１つの端末とからなるシステムにおいて、文字コンテンツサーバが備えるコンピュータ装置に、端末からのリクエストを受信する処理と、端末からのリクエストに含まれる動画のタイトルに対応する文字コンテンツをコンテンツ保持手段から読み出す処理と、読み出された文字コンテンツを視聴率データと共に端末に送出する処理とを実行させることを特徴とする。
【発明の効果】
【００１６】
本発明は、上記したように動画コンテンツを再生する端末が、動画のタイトルに対応する文字コンテンツを取得し、経過時刻に応じてコメントを表示するように構成したので、動画コンテンツ自体がインターネット経由で交換されることはない。これによって、著作権を侵害することなく、また通信速度や処理能力に制限のある環境においても、動画を文字情報と共に視聴することのできる、従来にない優れた動画の視聴システム、端末、文字コンテンツサーバ、動画の視聴方法およびプログラムを提供することができる。
【発明を実施するための最良の形態】
【００１７】
［第１の実施の形態］
図１は、本発明の第１の実施の形態に係る、動画視聴システム１のネットワークの構成図である。本実施の形態では、特定のテレビ放送番組、またはそれを録画したものを、動画コンテンツとする。本実施の形態の動画視聴システム１は、ユーザが保有する端末１０と、端末１０とネットワーク１６０を介して接続される文字コンテンツサーバ１００と、テレビ放送を送出するテレビ局１５０とからなる。端末１０は複数存在しうる。
【００１８】
端末１０は、テレビ局１５０から送出されるテレビ放送を受信および録画する機能を有する、携帯電話端末もしくはパーソナルコンピュータなどである。ネットワーク１６０は、公衆無線通信網もしくはインターネットなどである。ただし、ネットワーク１６０は動画コンテンツそのものを交換するものではないので、その通信速度が高速である必要はない。
【００１９】
図２は、図１で開示した端末１０の構成を示すブロック図である。端末１０は、主制御装置１１、記憶装置１２、ディスプレイ１３、入力装置１４、通信モジュール１５、およびＴＶチューナー１６を有する。主制御装置１１はＣＰＵ、ＲＡＭおよびＯＳなどによって構成され、その上でプログラムとして構成された動画再生部２１、文字コンテンツ取得部２２、経過時刻計算部２３、コメント表示部２４、コメント送信部２５、およびＴＶ放送録画部２６などの機能を実行することができる。
【００２０】
記憶装置１２には、録画された放送番組３１が保存されている。動画再生部２１は、記憶装置１２から読み出した放送番組３１、またはＴＶチューナー１６によって受信された放送番組３１を呼び出して再生し、ディスプレイ１３に表示する。動画再生部２１が放送番組３１の再生を開始すると、文字コンテンツ取得部２２は、放送番組３１のタイトルに対応する文字コンテンツ１２０を、通信モジュール１５を経由して文字コンテンツサーバ１００に照会して取得する。
【００２１】
また、経過時刻計算部２３は、放送番組３１の再生が開始されてからの経過時刻を計算する。ＴＶ放送録画部２６は、ＴＶチューナー１６によって受信された放送番組３１を録画して記憶装置１２に保存する。入力装置１４、コメント表示部２４およびコメント送信部２５については後述する。
【００２２】
図３は、図１で開示した文字コンテンツサーバ１００の構成を示すブロック図である。文字コンテンツサーバ１００は、主制御装置１０１、記憶装置１０２、通信モジュール１０３を有する。主制御装置１０１はＣＰＵ、ＲＡＭおよびＯＳなどによって構成され、その上でプログラムとして構成された文字コンテンツ読み出し部１１１、文字コンテンツ送出部１１２、およびコメント挿入部１１３などの機能を実行することができる。
【００２３】
記憶装置１０２は、文字コンテンツ１２０を記憶する。文字コンテンツ読み出し部１１１は、通信モジュール１０３を経由して端末１０からリクエストされたタイトルに対応する文字コンテンツ１２０を、記憶装置１０２から検索して読み出す。文字コンテンツ送出部１１２は、検索された文字コンテンツ１２０を通信モジュール１０３を経由して端末１０に送出する。コメント挿入部１１３については後述する。
【００２４】
図４は、図３で開示した文字コンテンツ１２０の構成を示す概念図である。文字コンテンツ１２０は、タイトル情報１２１、経過時刻１２２、およびコメント１２３とで構成される。１つの文字コンテンツ１２０に、タイトル情報１２１は１つだけであるのに対して、経過時刻１２２およびコメント１２３は多数存在する。また、経過時刻１２２とコメント１２３とは必ずしも一対一で対応する必要はなく、同一の経過時刻１２２に複数のコメント１２３が存在しうる。
【００２５】
タイトル情報１２１は、文字コンテンツ１２０に対応する放送番組３１を特定できる情報である。放送番組３１はテレビ放送から録画されたものであるので、この場合は放送日時、放送局名、番組名などがタイトル情報１２１に該当する。経過時刻１２２は、放送番組３１の放送開始からの経過時刻である。コメント１２３は、経過時刻１２２に対応して、端末１０から入力されたコメントである。
【００２６】
図５は、図２で開示した端末１０が、放送番組３１を再生するときに実行する処理を表すフローチャートである。動画再生部２１が放送番組３１の再生を開始すると（ステップ２００〜２０１）、同時に経過時刻計算部２３が再生が開始されてからの経過時刻の計算を開始する（ステップ２０２）。なお、この放送番組３１は、記憶装置１２から読み出した録画済みのものであっても、ＴＶチューナー１６によって受信されたリアルタイムで放送中のものであってもよい。
【００２７】
そして文字コンテンツ取得部２２が放送番組３１のタイトル情報１２１を文字コンテンツサーバ１００に送信して、これに対応する文字コンテンツ１２０の有無を問い合わせ（ステップ２０３）、文字コンテンツサーバ１００からの返答を判断する（ステップ２０４）。対応する文字コンテンツ１２０が存在していれば、その文字コンテンツ１２０が端末１０に送られてくるので、端末１０はそれを受信して（ステップ２０５）、ステップ２０６に進む。存在していなければ、そのままステップ２０６に進む。
【００２８】
文字コンテンツ１２０を受信したら、続いてコメント表示部２４が、受信された文字コンテンツ１２０の中に、経過時刻計算部２３によって計算される経過時刻１２２に対応するコメント１２３が存在しうるか否かを判断する（ステップ２０６）。存在していれば、再生中の放送番組３１の画面にコメント１２３を表示して（ステップ２０７）、ステップ２０８に進む。コメント１２３が存在しなければ、そのままステップ２０８に進む。なお、ステップ２０４で文字コンテンツが存在していないと判断された場合も、そのままステップ２０８に進む。
【００２９】
図６は、図５で示した処理によって放送番組３１を再生しているときにディスプレイ１３に表示される画面の構成を示すイメージ図である。ディスプレイ１３の中に放送番組３１を表示するウィンドウ５１と、コメント１２３を表示するコメント表示枠５２とが形成されている。なお、コメント表示枠５２はウィンドウ５１の内側であっても外側であってもよい。
【００３０】
そして、画面上にはコメント入力枠５３も用意されている。ユーザが、入力装置１４を介してコメント入力枠５３にコメント１２３を入力し、送信ボタン５４を押すと、入力されたコメント１２３はコメント送信部２５によって文字コンテンツサーバ１００に送信される。これによってユーザは、新たなコメント１２３を文字コンテンツサーバ１００に送信して文字コンテンツ１２０に追加させることができる。
【００３１】
図５に戻って、コメント送信部２５がユーザからのコメント１２３の入力があるか（送信ボタン５４が押されたか）否かを判断し（ステップ２０８）、コメント１２３の入力があれば、コメント１２３と、該コメントが入力された時点の経過時刻１２２と、現在再生中の放送番組３１のタイトル情報１２１とを含む追加要求を、文字コンテンツサーバ１００に送信して（ステップ２０９）、ステップ２１０に進む。コメント１２３の入力がなければ、そのままステップ２１０に進む。なお、ステップ２０９の追加要求の送信は、電子メールによって行うこともできるし、それ以外の通信プロトコルによって行うこともできる。
【００３２】
最後に動画再生部２１が、放送番組３１の再生が終了であるか否かを判断し（ステップ２１０）、終了でなければステップ２０６に戻る。終了であれば、そのまま終了する（ステップ２１１）。
【００３３】
図７は、図３で開示した文字コンテンツサーバ１００が、端末１０から文字コンテンツ１２０の送信要求を受けたときに実行する処理を表すフローチャートである。文字コンテンツ１２０の送信要求であれば、端末１０からタイトル情報１２１が送られてくる。
【００３４】
処理を開始し、端末１０から文字コンテンツ１２０の送信要求を受けると（ステップ３００〜３０１）、文字コンテンツ読み出し部１１１は、記憶装置１０２にタイトル情報１２１に該当する文字コンテンツ１２０が記憶されているか否かを検索して判断する（ステップ３０２〜３０３）。記憶されていれば、該当する文字コンテンツ１２０を文字コンテンツ送出部１１２が端末１０に送信して（ステップ３０４）、処理を終了する（ステップ３０６）。記憶されていなければ、「該当する文字コンテンツが存在しない」旨のエラーメッセージを文字コンテンツ送出部１１２が端末１０に送信して（ステップ３０５）、処理を終了する（ステップ３０６）。
【００３５】
図８は、図３で開示した文字コンテンツサーバ１００が、端末１０からコメント１２３の追加要求を受けたときに実行する処理を表すフローチャートである。コメント１２３の追加要求であれば、端末１０からタイトル情報１２１、経過時刻１２２、およびコメント１２３が送られてくる。
【００３６】
処理を開始し、端末１０からコメント１２３の追加要求を受けると（ステップ３５０〜３５１）、コメント挿入部１１３は、記憶装置１０２にタイトル情報１２１に該当する文字コンテンツ１２０が記憶されているか否かを検索して判断する（ステップ３５２〜３５３）。記憶されていれば、該当する文字コンテンツ１２０を記憶装置１０２から読み出す（ステップ３５４）。記憶されていなければ、タイトル情報１２１に対応する文字コンテンツ１２０を新たに作成する（ステップ３５５）。
【００３７】
そしてコメント挿入部１１３は、読み出されたもしくは新たに作成された文字コンテンツ１２０に、端末１０から送信された経過時刻１２２およびコメント１２３を追加して記憶装置１０２に記憶し（ステップ３５６）、処理を終了する（ステップ３５７）。なお、ここですべてのコメント１２３を経過時刻１２２の順にソートしてから保存すると、端末１０におけるコメントの表示の処理がしやすくなるので望ましい。
【００３８】
図９は、図５および図７〜８で説明した端末１０、端末１０ｂ、および文字コンテンツサーバ１００の動作を、動画視聴システム１全体の流れとして説明するフローチャートである。端末１０ｂは、端末１０と同一の機能を持ち、端末１０とは別のユーザが操作する端末である。テレビ局１５０から放送される同一の放送番組３１を、端末１０のユーザはリアルタイムで視聴しているが（ステップＡ１）、端末１０ｂのユーザはリアルタイムで視聴できないため留守録画する（ステップＡ４）ものとする。
【００３９】
端末１０のユーザは、放送番組３１をリアルタイムで視聴しているので、放送番組３１の放送開始の時点では、そのタイトル情報１２１に対応する文字コンテンツ１２０は、文字コンテンツサーバ１００に存在しない。しかしながら、放送番組３１に対して、図５のステップ２０８〜２０９で述べたように、文字コンテンツサーバ１００にコメント１２３を送信することはできる（ステップＡ２）。文字コンテンツサーバ１００においては、図８のステップ３５５で説明したように、放送番組３１のタイトル情報１２１に対応する文字コンテンツ１２０が新たに作成され、そこにコメント１２３が追加され、蓄積される（ステップＡ３）。
【００４０】
端末１０ｂのユーザは、ステップＡ４で録画された放送番組３１を、リアルタイムの放送が終了した後から再生し、視聴開始する（ステップＡ５）。すると、端末１０ｂは、図５のステップ２０３〜２０５で述べたように、放送番組３１のタイトル情報１２１を文字コンテンツサーバ１００に送信する（ステップＡ６）。文字コンテンツサーバ１００は、図７で述べたように、タイトル情報１２１に対応する文字コンテンツ１２０を端末１０ｂに送信する（ステップＡ７）。
【００４１】
端末１０ｂは、図５のステップ２０６〜２０７で述べたように、受信した文字コンテンツ１２０に含まれる、経過時刻１２２に対応するコメント１２３を再生中の放送番組３１の画面に表示する（ステップＡ８）。これによって端末１０ｂのユーザは、端末１０のユーザがステップＡ２で送信したコメント１２３を、ステップＡ２と同じ画面のタイミングで見ることができる。
【００４２】
なお、図５および図７〜９で説明したフローチャートに係る各ステップの動作内容は、端末１０、端末１０ｂ、および文字コンテンツサーバ１００の各々があらかじめ備えるコンピュータで動作するプログラムとして実行させるように構成することができる。
【００４３】
また、文字コンテンツ１２０のコメント１２３を、放送番組３１の毎分視聴率データを含むものにしてもよい。このようにすれば、毎分視聴率の高い時間帯を「盛り上がっている場面」とみなして、そのような時間帯を優先して視聴するなどのようにして利用することができる。
【００４４】
［第２の実施の形態］
図１０は、本発明の第２の実施の形態に係る、動画視聴システム４０１のネットワークの構成図である。本実施の形態では、市販もしくはレンタルのＤＶＤ４１８によるパッケージ型映像コンテンツを、動画コンテンツとする。本実施の形態の動画視聴システム４０１は、ユーザが保有する端末４１０と、端末４１０とネットワーク１６０を介して接続される文字コンテンツサーバ１００とからなる。端末４１０は複数存在しうる。なお、文字コンテンツサーバ１００は、第１の実施の形態と同一であるので、説明を省略する。
【００４５】
図１１は、図１０で開示した端末４１０の構成を示すブロック図である。端末４１０は、第１の実施の形態に係る端末１０と大部分は同一であるので、共通する要素には同一の参照番号を付け、相違点のみをここでは説明する。端末４１０は、端末１０にあったＴＶチューナー１６およびＴＶ放送録画部２６が存在せず、そのかわりＤＶＤドライブ４１７を備える。動画再生部２１は、ＤＶＤドライブ４１７を介して、ＤＶＤ４１８に記録された映像を再生し、ディスプレイ１３に表示する。なお、記憶装置１２に保存される放送番組３１も存在しない。
【００４６】
文字コンテンツサーバ１００が保持する文字コンテンツ１２０で、タイトル情報１２１は、ＤＶＤ４１８を特定できる情報である。この場合は、ＤＶＤ４１８のタイトル、メーカー、品番、ＪＡＮコード、ＡＳＩＮコードなどがタイトル情報１２１に該当する。
【００４７】
上記以外の要素は、第１および第２の実施の形態で全く同一であり、また実際に行う処理も図３〜８で説明したものと同一であり、得られる効果も同一であるので、説明を省略する。もちろん、ＤＶＤ４１８に限らず、ビデオテープやＤＶＤ以外の光学ディスク（ＣＤビデオ、ブルーレイ・ディスクなど）、またインターネットなどを介して公式に配信される映像コンテンツに対しても、第２の実施の形態を適用することができる。
【００４８】
第１の実施の形態ではユーザが個人として録画したテレビ放送番組を、該ユーザが個人として視聴している。第２の実施の形態では個人としての視聴が許可されたＤＶＤを、ユーザが個人として視聴している。以上２つの実施例で示した動画の再生方法はいずれも、映像コンテンツをコピーしたり、インターネットを介して送信可能な状態にしたりということをしていない。そのため、これらの方法は著作権法第３０条でいう私的使用の範疇に収まり、著作権の侵害となることはない。
【００４９】
同一の映像コンテンツを再生する場合、再生開始そのものの時刻が異なっていても、再生開始からの経過時刻１２２を正確に算出すれば、どのユーザも同一の場面を視聴していると考えることができる。そのため、経過時刻１２２をキーとしてコメント１２３を表示していけば、どのユーザも同一の画面のタイミングで、付けられたコメント１２３を見ることができ、またコメント１２３を追加することもできるので、コメント付加型動画共有サイトと同様のコミュニティを形成することができる。
【００５０】
さらに、ネットワーク１６０を介して交換されるのは、容量の少ない文字コンテンツ１２０である。動画コンテンツそのものがネットワーク１６０を介して交換されるのではないので、ネットワーク１６０の通信速度、および端末１０（４１０）の処理速度が高速である必要はない。携帯電話などのように、通信速度や処理能力に制限のある環境においても、本発明は容易に適用できる。
【００５１】
これまで本発明について図面に示した特定の実施の形態をもって説明してきたが、本発明は図面に示した実施の形態に限定されるものではなく、本発明の効果を奏する限り、これまで知られたいかなる構成であっても採用することができることは言うまでもないことである。
【産業上の利用可能性】
【００５２】
動画コンテンツを視聴する端末、および該端末にデータを配信するシステムにおいて利用可能である。
【図面の簡単な説明】
【００５３】
【図１】本発明の第１の実施の形態に係る、動画視聴システムのネットワークの構成図である。
【図２】図１で開示した端末の構成を示すブロック図である。
【図３】図１で開示した文字コンテンツサーバの構成を示すブロック図である。
【図４】図３で開示した文字コンテンツの構成を示す概念図である。
【図５】図２で開示した端末が、放送番組を再生するときに実行する処理を表すフローチャートである。
【図６】図５で示した処理によって放送番組を再生しているときにディスプレイに表示される画面の構成を示すイメージ図である。
【図７】図３で開示した文字コンテンツサーバが、端末から文字コンテンツの送信要求を受けたときに実行する処理を表すフローチャートである。
【図８】図３で開示した文字コンテンツサーバが、端末からコメントの追加要求を受けたときに実行する処理を表すフローチャートである。
【図９】図５および図７〜８で説明した端末および文字コンテンツサーバの動作を、動画視聴システム全体の流れとして説明するフローチャートである。
【図１０】本発明の第２の実施の形態に係る、動画視聴システムのネットワークの構成図である。
【図１１】図１０で開示した端末の構成を示すブロック図である。
【符号の説明】
【００５４】
１、４０１  動画視聴システム
１０、１０ｂ、４１０  端末
１１  主制御装置
１２  記憶装置
１３  ディスプレイ
１４  入力装置
１５  通信モジュール（通信手段）
１６  ＴＶチューナー
２１  動画再生部（動画再生手段）
２２  文字コンテンツ取得部（文字コンテンツ取得手段）
２３  経過時刻計算部（時刻計算手段）
２４  コメント表示部（コメント表示手段）
２５  コメント送信部（コメント送信手段）
２６  ＴＶ放送録画部（録画手段）
１００  文字コンテンツサーバ
１０１  主制御装置
１０２  記憶装置（コンテンツ保持手段）
１０３  通信モジュール（通信手段）
１１１  文字コンテンツ読み出し部
１１２  文字コンテンツ送出部（コンテンツ送出手段）
１１３  コメント挿入部（コメント挿入手段）
１２０  文字コンテンツ
１２１  タイトル情報
１２２  経過時刻
１２３  コメント
１６０  ネットワーク
４１７  ＤＶＤドライブ
【図１】
0005464632.tif 000002
【図２】
0005464632.tif 000003
【図３】
0005464632.tif 000004
【図４】
0005464632.tif 000005
【図５】
0005464632.tif 000006
【図６】
0005464632.tif 000007
【図７】
0005464632.tif 000008
【図８】
0005464632.tif 000009
【図９】
0005464632.tif 000010
【図１０】
0005464632.tif 000011
【図１１】
0005464632.tif 000012